(57)【要約】【課題】上記問題を解決するために、本発明の小便器用ステップは、使用者がステップの手前側面で躓いて転ぶ危険性のない、段差のない安全性に優れた小便器用ステップを提供する。【解決手段】小便器用のおだれ部（小便器の手前下）に敷設されるステップであって、一又は複数個の穴が箱型の蓋体の上面に穿設された小便器用ステップが、ステップ本体となる台に四角形の蓋体の側面脚部を嵌入させる四角形の溝を削設するとともに、台の手前側面に緩やかなスロープを形成した立方体からなる台座と、下部を開口とし上面に多数の孔を穿設した箱型の孔付き蓋体と、からなる構成である。【選択図】    図１
2004254852.tif 000002
【特許請求の範囲】
【請求項１】
小便器用のおだれ部（小便器の手前下）に敷設されるステップであって一又は複数個の穴が箱型の蓋体の上面に穿設された小便器用ステップが、
ステップ本体となる台に四角形の蓋体の側面脚部を嵌入させる四角形の溝を削設するとともに、台の手前側面に緩やかなスロープを形成した立方体からなる台座と、
下部を開口とし上面に多数の孔を穿設した箱型の孔付き蓋体と、
からなることを特徴とする小便器用ステップ
【請求項２】
小便器用のおだれ部（小便器の手前下）に敷設されるステップであって一又は複数個の穴が箱型の蓋体の上面に穿設された小便器用ステップが、
四角形の蓋体を収容する直方体からなる底部のある凹部が凹設されているとともに、手前側面に緩やかなスロープを形成した立方体からなる台座と、上面に孔の穿設された箱型の蓋体とからなり、該蓋体の内部に液体吸収剤を装填したことを特徴とする小便器用ステップ
【請求項３】
前記台座は、中央に吸収剤を装填するための四角の開口凹部を設けるとともに、凹部周縁に蓋体の脚部を嵌入する溝を凹設したことを特徴とする請求項１記載の小便器用ステップ
【請求項４】
前記台座は、人工樹脂又は硬質ゴム製であることを特徴とする請求項１乃至３記載の小便器用ステップ
【請求項５】
前記台座は、金属製であることを特徴とする請求項１乃至３記載の小便器用ステップ
【発明の詳細な説明】
【０００１】
【発明の属する技術分野】
本発明は、トイレの小便器の手前底面のおだれ部に敷設されるステップに関し、特に、おだれ部を清潔に保つために、取り換え可能な吸収剤等が収納されており、かつ使用者が躓くのを防ぐためステップの手前側をスロープに形成した小便器用のステップに関する。
【０００２】
【従来の技術】
【特許文献】特開２００２−３６４０５８
【０００３】
従来から小便器の手前底部のおだれ部にはおだれ石が敷かれている。おだれ石は小便器から飛散した尿や先浄水が床面を汚さないように保護する部材であり、小石であったり、御影石や磁器タイルを加工した板状体であることが多かった。また、おだれ石は使用者が足を乗せるためのステップの役割も同時に果たしている。
【０００４】
従来のおだれ石は、その材質上液体をほとんど吸収しないので、飛散した尿や洗浄水が表面に付着し、残留しているので、臭気の原因となっていた。また、飛散付着した小便が乾燥するまでの間、飛散した状態で残留している。このため使用者に不快感を与えたり、また履物を汚したりする問題があった。また、磁器タイルや御影石の表面は滑らかに加工されていることが多く、使用者が足を滑らせて転ぶ可能性もあった。特に利用者の多い店舗や公共のトイレでは、使用者の公衆道徳や注意が十分でないことも影響しておだれ石が汚れやすく、掃除を頻繁に行う必要が生じていた。
【０００５】
そこで、従来のおだれ石の代わりに小便器手前下のおだれ部に薄箱体を敷設し、飛散する尿や先浄水を箱体の中に収納した取り替え可能な吸収剤等で吸収する小便器用のステップが使用されるようになった。この小便器用ステップは、飛散して付着する尿や先浄水が、上面の穴を通じて箱体ステップの内部に侵入し、吸収剤により吸収されるので、小便器用ステップの上面は常に清潔に保たれ、トイレの床面の汚れを防止することができた。
【０００６】
従来の小便器用ステップは高の無い立方体である箱型形状であり、トイレ等の床面に設置すると、床面とステップ上面との間に段差ができる。使用者がステップに足を乗せる際に、誤ってステップの手前側面に躓く恐れがあり、危険であった。
そこで上記の欠点を勘案し、従来の小便器用ステップの特徴を備えた小便器用ステップであって、安全性に優れた段差の生じない小便器用ステップの開発が待たれていた。
【０００７】
【発明が解決しようとする課題】
上記問題を解決するために、本発明の小便器用ステップは、使用者がステップの手前側面で躓いて転ぶ危険性のない、段差のない安全性に優れた小便器用ステップを提供することを目的とする。
【０００８】
【課題を解決するための手段】
上記の目的を達成するために本発明に係る小便器用ステップは、小便器用のおだれ部（小便器の手前下）に敷設されるステップであって、一又は複数個の穴が箱型の蓋体の上面に穿設された小便器用ステップが、ステップ本体となる台に四角形の蓋体の側面脚部を嵌入させる四角形の溝を削設するとともに、台の手前側面に緩やかなスロープを形成した立方体からなる台座と、下部を開口とし上面に多数の孔を穿設した箱型の孔付き蓋体と、からなる構成である。
【０００９】
また、小便器用のおだれ部（小便器の手前下）に敷設されるステップであって一又は複数個の穴が箱型の蓋体の上面に穿設された小便器用ステップが、四角形の蓋体を収容する直方体からなる底部のある凹部が凹設されているとともに、手前側面に緩やかなスロープを形成した立方体からなる台座と、上面に孔の穿設された箱型の蓋体とからなる構成である。
【００１０】
さらに、台座は中央に吸収剤を装填するための四角の開口凹部を設けるとともに、凹部周縁に蓋体の脚部を嵌入する溝を凹設した構成である。
また、台座は、人工樹脂又は硬質ゴム製である構成である。同様に台座は、金属製である。
【００１１】
また、蓋体を嵌入する四角形の凹部を凹設するとともに、前側面の手前側に緩やかなスロープを形成した立方体からなる台座と、上面に孔を設けた箱型の蓋体とからなり、蓋体の内部に液体用の吸収剤を装填した構成である。
【００１２】
【作用】
この発明に係る小便器用ステップは、別途に得たスロープデータにより手前面を緩やかなスロ−プに構成することにより使用者がステップの前側面に躓くことがない構成になっている。また、小便器使用時に飛散して本体上面に付着する尿や先浄水が、ステップの本体上面に穿設された多数の穴から本体内部に侵入し、収納されている吸収剤に接触させて無臭に固化吸収されるので、小便器用ステップの上面は常に清潔に保たれ、また臭気の発生を最小限に押さえることができる。
吸収剤は、薄箱型本体から取り出して洗浄のために交換することができるので、常に清潔を保つことができる。これにより、尿や先浄水がトイレの床面を汚すのを防止することができる。
【００１３】
【発明の実施の形態】
以下に本発明を図面に示す実施例により詳細に説明する。図１は本発明に係る小便器用ステップの分解斜視図であり、図２は本発明に係る小便器用ステップの別の実施例を示す分解斜視図である。図３は本発明に係る小便器用ステップのさらに別の実施例を示す分解斜視図である。
本発明の１０は、小便器用ステップの台座２０と、蓋体３０と、吸収剤４０とからなり、特に、手前側面に緩やかなスロープ２６を形成した小便器用ステップである。
【００１４】
図１は、本発明に係る小便器用ステップ１０の分解斜視図である。本発明の小便器用ステップは、台座２０と蓋体３０とから構成されている。本発明に係る小便器用ステップ１０は小便器用のおだれ部（小便器の手前下部の床面）に敷設される。本発明に係る小便器用ステップは一又は複数個の孔が箱型の蓋体の上面に形成されたステップである。
【００１５】
本発明に係る小便器用ステップの台座の材質は、人工樹脂又は硬質ゴムを用いると比較的安価であり、かつ加工し易いという利点がある。
また、金属を用いると耐食性および耐久性に優れ、径年変化を考慮することなく長期間の使用が可能となる。
ただし材質はこれに限定されるものではない。
【００１６】
台座２０は、蓋体３０を嵌装する台であり、上面に蓋体３０の側面脚部を嵌入する凹状の溝２２が脚の形状に合わせて四角に削設されるとともに、手前側面に緩やかなスロープ２６を形成した薄型の立方体からなる。従来の小便器用ステップはスロ−プのない直方体であったため、ステップの上面と床との間に段差ができて、使用者がステップの手前側面に躓いて転ぶ危険性があった。本発明にかかる小便器用ステップは、手前側面にスロープが設けられた形状であるため、使用者がステップに足を乗せる際に手前側面に躓いて転ぶ危険性がない点でバリアフリ−な構造であり安全に考慮が払われている。
【００１７】
図１に示す実施例では、台座２０は薄型の立方体であるが、全体の形状は四角に限定されることなく適宜な形状を選択することができる。例えば、平面図が半円形や円形、多角形、またはＵ字型形状の立方体なども実施可能と考えられる。台座２０の高さは、蓋体３０の側面脚部を嵌入させる溝２２が必要に応じた深さに削設することができる厚さであればよい。床面とステップ上面との高低差が出来るだけ少ない方が望ましい。また、上面の面積は設置状況等を考慮して適宜な面積とすることが可能である。
【００１８】
溝２２は、蓋体３０の側面脚部を嵌入させる凹部であり、台座２０の上面に側面脚部の形状に合わせてこの実施例では四角形に削設されている。溝２２は蓋体３０の側面脚部が嵌脱自在に嵌装される形状と深さであればよく、蓋体３０の形状を考慮して適宜な形状に削設することが可能である。
溝２２には、蓋体３０の周縁の側面脚部が前後左右すべての側面脚部が嵌入するので、水平方向への蓋体３０が移動するのを防ぐことができる。
【００１９】
スロープ２６は、台座２０の手前側の側面に設けられた傾斜面である。従来の小便器用ステップでは、前側面が床面に対して垂直であったため、設置を予期していない使用者がステップの前側面に躓いて転ぶ危険性があった。本発明に係る小便器用ステップは、台座２０の手前側面が緩やかな傾斜面となっているので、使用者が前側面に躓いて転ぶ危険性が少ない。スロープ２６は床面に対して出来るだけ緩やかな角度で設けることが望ましい。
また、本発明では前側面のみにスロープ２６を設けた形状であるが、使用者が必ずしも前面からステップに足を乗せるとは限らない場合は、左右側面もスロープを設けた構成とすることも可能である。
【００２０】
蓋体３０は、上面に孔３２が穿設され、下部を開口とした平たい箱形の蓋状体であり、台座２０に削設された溝２２に嵌脱自在に嵌入される。この実施例では、蓋体３０を台座２０と同様に平面四角の箱型形状としているが、洗浄液および尿の飛散する範囲や台座２０の形状および設置状況等を考慮して適宜な形状を選択する。例えば、蓋体の形状も平面が半円形、円形、多角形、またはＵ字型形や立方体形状等々が考えられる。また、平面の面積は、洗浄液および尿の飛散する範囲や台座２０の形状および設置状況等を考慮し、適宜の広さに設定する。蓋体３０の材質は金属、合成樹脂等を用いても良いが、特にステンレスが好適に用いられる。ステンレスは腐食に強く耐久性があり、金属光沢が清潔感を与える。
孔３２は、蓋体３０の上面に穿設される開口であり、図面に示す実施例では円形に形勢されている。孔の数は、一個または複数個穿する。孔３２の形状はこの実施例では円形であるがこれに限定されない。長円形あるいは正方形のメッシュ、または長方形の桟のような形式であってもよい、多角形、または星型等のような複雑な形状であってもよい。孔３２の配置は、碁盤目状、ジグザグ状、同心円状その他任意の配列が可能である。
【００２１】
図２は本発明に係る小便器用ステップ１０の別の実施例の分解斜視図である。
この実施例の台座２０は、上記詳述した小便器用ステップと同様の構造であるが、台座の中央に蓋体３０の側面脚部だけでなく箱体の全体を嵌装できる大きさの四角形の凹部２４が設けられている。前側面の手前側には緩やかなスロープ２６が形成される。また、蓋体３０の構造は上記と同様であってもよいが、下部を開口とした蓋型の形状に限定されることはなく、立方体であってもよい。
【００２２】
凹部２４は、台座２０の上面中心に設けられている。凹部２４は、蓋体３０の形状に応じて適宜形状に成形され、蓋体３０を嵌脱可能に嵌入できる形状である。
【００２３】
この実施例の蓋体３０は上記と同様に下部を開口とし、台座２０の凹部２４と蓋体２０との間に吸収剤４０を挟み込むように装填する形式である。凹部は蓋体を収納する構成であり、吸収剤を装填したままの状態で台座の中に嵌入させるように構成されている。例えば、側面を開口とした外箱の内部に内箱が収納されており、内箱をスライドさせて吸収剤を装填する構成や、上部が開口した箱型で、上部に穴の穿設された板状の蓋を着脱自在に装着できる構成などが考えられる。また、この実施例の蓋体３０は、四角の箱型形状であるが、平面が円形や多角形またはＵ字型の箱型形状などが考えられる。
なお、人が小便器用ステップに乗ることを考慮し、強度を高めるために凹部２４の内部に梁を設けてもよい。
【００２４】
吸収剤４０は、液体を吸収する素材であり、蓋体３０の内部に装填して使用する。液体を吸収する素材としては各種の材質が利用可能であり、液体を吸収する機能を有する吸収紙、綿状パルプ、高分子吸収（樹脂）材等の吸収性材料を適宜用いることができる。また、尿の臭いを防ぐため、消臭剤や脱臭剤を混合してもよい。さらに芳香剤を添加することも可能である。
飛散して小便器用ステップ１０に付着した尿や先浄水は、多数の孔３２を通じて小便器用ステップ１０の内部に侵入し、吸収剤４０によって吸収されるので、異臭を放することもなく、また使用者の靴等を汚す心配がない。また、トイレの床面の外観を清潔に保つことができる。さらに、吸収剤４０は嵌脱可能な蓋の内部に装填されており、容易に取り出し可能で、取替え作業も容易である。
【００２５】
図３は、本発明に係る小便器用ステップ１０の、さらに別の実施例の分解斜視図である。
この実施例の台座２０は、中央に吸収剤を装填するための開口部四角形の凹部２４を設けるとともに、凹部２４の開口部周縁に、開口部各辺と平行に蓋体３０の側面脚部を嵌入する溝２２が削設されており、前側面の手前側に緩やかなスロープ２６を形成した立方体からなる構成である。
【００２６】
この実施例の凹部２４は、開口部四角形で台座上面に設けられており、吸収剤４０を装填するためのものである。凹部２４の周辺には溝２２が設けられている。また、蓋体３０は、上面に孔３２が穿設されており、下部を開口とした箱形形状からなり、台座２０に削設された溝２２に嵌脱自在に嵌入される。蓋体３０は容易に取り外すことが出来るので、凹部２４に装填された吸収剤４０は容易に取替え可能である。
【００２７】
本発明の台座２０の材質は、人工樹脂または硬質ゴム等を用いる。人工樹脂および硬質ゴムは金属などに比べて比較的軽量であり、運搬も容易である。また、人工樹脂や硬質ゴムは加工しやすいので、溝２２や凹部２４を容易に削設可能であり、所望の形状に加工しやすく、製造コストも低くて済むため、安価に提供することができる。
【００２８】
小便器ステップ１０は、定期的に蓋体３０を外し、内部の吸収剤４０を交換する。なお、小便器ステップ１０を本体ごと回収し、別の場所で吸収剤４０を交換することもできる。
【００２９】
【発明の効果】
上述した通り、本発明に係る小便器用ステップは上記のような構成であるので、以下のような効果を奏する。
１．前側面に緩やかなスロープが形成されているので、従来のように床面とステップ上面との間の段差が無くなり、使用者がステップの前側面に躓いて転ぶことがなくなり、安全性に優れている。
２．前側面に緩やかなスロープを設けた構成であるので、従来のように床面とステップ上面との間の段差が無くなり、使用者がステップの前側面に躓いて転ぶことがなくなり、安全性に優れている。また、蓋体の上面に飛散して付着する尿や先浄水は、孔を通じて内部に侵入し、吸収剤により吸収されるので、小便器用ステップの上面は常に清潔に保たれ、トイレの床面の汚れを防止することができる。さらに、蓋体は用意に取り外すことができるため、蓋体内部に装填された吸収剤を容易に交換することが可能である。
３．蓋体を溝に嵌脱自在に嵌入する構成としたので、蓋体を容易に取り外すことができ、凹部に装填された吸収剤を容易に交換できる。
４．台座の材質に人工樹脂または硬質ゴムを用いたことにより、加工性しやすく、製造コストが安く済む。
５．台座の材質に金属を用いたことにより、耐食性および耐久性に優れており、長期間使用可能となった。台座を頻繁に交換する必要がないので、低コストである。また、金属表面の光沢により、清潔感が得られる。
【図面の簡単な説明】
【図１】本発明に係る小便器用ステップの分解斜視図
【図２】本発明に係る小便器用ステップの別の実施例を示す分解斜視図
【図３】本発明に係る小便器用ステップのさらに別の実施例を示す分解斜視図
【符号の説明】
１０  小便器用ステップ
２０  台座
２２  溝
２４  凹部
２６  スロープ
３０  蓋体
３２  孔
３４  側面脚部
４０  吸収剤
【図１】
2004254852.tif 000003
【図２】
2004254852.tif 000004
【図３】
2004254852.tif 000005